(57)【特許請求の範囲】
【請求項１】
第１の無線制御局のカバーエリアに在圏する端末から発呼された呼について、前記呼のダイヤル番号を前記エリアに応じた接続先番号に変換する変換テーブルと、前記呼を制御し、加入者線延長する手段とを有する第１の交換機と、
第２の無線制御局のカバーエリアに在圏する端末から発呼された呼について、前記呼のダイヤル番号を前記エリアに応じた接続先番号に変換する変換テーブルと、前記呼を制御し、加入者線延長する手段とを有する第２の交換機と
を含む移動体通信システムにおいて、
前記第１の交換機は、
前記第１の交換機によって加入者線延長されている第１の呼を有する前記第２の無線制御局のカバーエリアに在圏中の端末から発呼された第２の呼のダイヤル番号を受信する手段と、
当該端末の位置を示す位置番号と、前記第２の交換機を識別する識別子とを取得する手段と、
前記ダイヤル番号および前記位置番号を、前記識別子によって識別される前記第２の交換機に送信する手段とを備え、
前記第２の交換機は、受信した前記ダイヤル番号および前記位置番号に対応する接続先番号を前記変換テーブルから検索し、該接続先番号を前記第１の交換機に送信する手段とを備え、
前記第１の交換機は、前記第２の呼のダイヤル番号に対応して、受信した前記接続先番号に接続する手段を備えたことを特徴とする移動体通信システム。
【請求項２】
請求項１に記載の移動体通信システムにおいて、
前記第１の交換機は、前記接続先番号を記録する手段をさらに備えたことを特徴とする移動体通信システム。
【請求項３】
請求項１に記載の移動体通信システムにおいて、
前記第２の交換機は、受信した前記ダイヤル番号および前記位置番号に対応する接続先番号を含む前記変換テーブルを前記第１の交換機に送信する手段をさらに備え、
前記第１の交換機は、受信した前記変換テーブルを記録する手段をさらに備えたことを特徴とする移動体通信システム。
【請求項４】
第１の無線制御局のカバーエリアに在圏する端末から発呼された呼について、前記呼のダイヤル番号を前記エリアに応じた接続先番号に変換する変換テーブルと、前記呼を制御し、加入者線延長する手段とを有する第１の交換機と、
第２の無線制御局のカバーエリアに在圏する端末から発呼された呼について、前記呼のダイヤル番号を前記エリアに応じた接続先番号に変換する変換テーブルと、前記呼を制御し、加入者線延長する手段とを有する第２の交換機と
を含む移動体通信システムの番号変換方法において、
前記第１の交換機において、
前記第１の交換機によって加入者線延長されている第１の呼を有する前記第２の無線制御局のカバーエリアに在圏中の端末から発呼された第２の呼のダイヤル番号を受信するステップと、
当該端末の位置を示す位置番号と、前記第２の交換機を識別する識別子とを取得するステップと、
前記ダイヤル番号および前記位置番号を、前記識別子によって識別される前記第２の交換機に送信するステップと、
前記第２の交換機において、
受信した前記ダイヤル番号および前記位置番号に対応する接続先番号を前記変換テーブルから検索し、該接続先番号を前記第１の交換機に送信するステップと、
前記第１の交換機において、
前記第２の呼のダイヤル番号に対応して、受信した前記接続先番号に接続するステップとを備えたことを特徴とする移動体通信システムの番号変換方法。
【請求項５】
請求項４に記載の移動体通信システムの番号変換方法において、
前記第１の交換機において、前記接続先番号を記録するステップをさらに備えることを特徴とする移動体通信システムの番号変換方法。
【請求項６】
請求項４に記載の移動体通信システムの番号変換方法において、
前記第２の交換機において、受信した前記ダイヤル番号および前記位置番号に対応する接続先番号を含む前記変換テーブルを前記第１の交換機に送信するステップと、
前記第１の交換機において、受信した前記変換テーブルを記録するステップと
をさらに備えたことを特徴とする移動体通信システムの番号変換方法。
【発明の詳細な説明】
【０００１】
【発明の属する技術分野】
本発明は、移動体通信システムおよびその番号変換方法に関する。
【０００２】
【従来の技術】
図１は、従来の移動体通信システムのシステム構成の一例を示す図である。
【０００３】
移動体通信システムは、既存のＰＤＣ方式の移動体通信システムであり、少なくとも、移動機１００と、無線制御局２０１および２０２と、加入者階梯交換機３００と、関門交換機４００と、位置番号に対応するセンタ５０１および５０２とから構成される。
【０００４】
かかるシステムにおいて、移動機１００から、発信番号は同一であっても、位置番号１のエリアからの発呼であれば、位置番号１に対応したセンタ、位置番号２のエリアからの発呼であれば位置番号２に対応したセンタに接続されるといった番号（例えば１１０番や１１９番やフリーダイヤル（サービス名）やダイヤルＱ２（サービス名）等の論理番号を含み、以下「在圏位置によって接続先の変わる番号」という。）がダイヤルされると（図１の丸付１）、このような発呼に対し、加入者階梯交換機３００は配下のどのエリアから発呼があったかによって、どの接続先番号（着信番号、物理番号）に接続させればよいのかを判断する変換テーブルを持っていて、そのテーブルに基づいて番号変換を行い（図１の丸付２）、変換された番号、すなわち着信番号（物理番号）によって、関門交換機４００により位置番号２に対応するセンタ５０２に接続が行われる（図１の丸付３）。
【０００５】
【発明が解決しようとする課題】
しかしながら、従来の移動体通信システムにおいては、移動機１００が通話中に在圏するエリアを変わった場合には以下の問題点がある。
【０００６】
図２は、従来の移動体通信システムにおけるハンドオーバ時の一例を示す図である。
【０００７】
従来の移動体通信システムでは、移動機が通信中にエリアをまたがって移動した場合も、呼制御ははじめに通信を開始したノード（加入者階梯交換機１（３０１））が保持しつづける（図２の▲１▼）。このことは、「加入者線延長」と一般に呼ばれている。
【０００８】
従って、加入者線延長時に、新たな呼として「在圏位置によって接続先の変わる番号」がダイヤルされると、その呼を制御するのも加入者階梯交換機１（３０１）となる（図２の▲２▼）。
【０００９】
しかしながら、位置番号３の無線ゾーンは、加入者階梯交換機１（３０１）の配下エリアではないため、加入者階梯交換機１（３０１）は自身の変換テーブルでは対応できず、適当な番号変換を行えない（図２の▲３▼）。
【００１０】
このようなケースでの接続を可能にするため、全エリアに対応した番号の変換テーブルを各々の交換機に持たせるとすれば、各交換機が持つ局データが非常に大きなものになり、また、接続先やゾーンの変更が生じるごとに全ての交換機のデータを更新する必要があるといった問題点がある。
【００１１】
また、例えば、網内に１つのホームロケーションレジスタだけを備えるシステムのように、網内に集約した番号管理データベースを用意するといった方法も考えられるが、各加入者階梯交換機がデータベース（例えば、ビジターロケーションレジスタ等）を保持している場合には非効率的であり、また、開発量も大きなものとなるという問題点がある。
【００１２】
本発明の目的は、上記問題点に鑑み、交換機が他の交換機または無線制御局に代表局を問合わせるすることができる移動体通信システムおよびその番号変換方法を提供することにある。
【００１３】
【課題を解決するための手段】
このような目的を達成するために、請求項１に記載の発明は、第１の無線制御局のカバーエリアに在圏する端末から発呼された呼について、前記呼のダイヤル番号を前記エリアに応じた接続先番号に変換する変換テーブルと、前記呼を制御し、加入者線延長する手段とを有する第１の交換機と、第２の無線制御局のカバーエリアに在圏する端末から発呼された呼について、前記呼のダイヤル番号を前記エリアに応じた接続先番号に変換する変換テーブルと、前記呼を制御し、加入者線延長する手段とを有する第２の交換機とを含む移動体通信システムにおいて、前記第１の交換機は、前記第１の交換機によって加入者線延長されている第１の呼を有する前記第２の無線制御局のカバーエリアに在圏中の端末から発呼された第２の呼のダイヤル番号を受信する手段と、当該端末の位置を示す位置番号と、前記第２の交換機を識別する識別子とを取得する手段と、前記ダイヤル番号および前記位置番号を、前記識別子によって識別される前記第２の交換機に送信する手段とを備え、前記第２の交換機は、受信した前記ダイヤル番号および前記位置番号に対応する接続先番号を前記変換テーブルから検索し、該接続先番号を前記第１の交換機に送信する手段とを備え、前記第１の交換機は、前記第２の呼のダイヤル番号に対応して、受信した前記接続先番号に接続する手段を備えたことを特徴とする。
【００１４】
請求項２に記載の発明は、請求項１に記載の移動体通信システムにおいて、前記第１の交換機は、前記接続先番号を記録する手段をさらに備えたことを特徴とする。
【００１５】
請求項３に記載の発明は、請求項１に記載の移動体通信システムにおいて、前記第２の交換機は、受信した前記ダイヤル番号および前記位置番号に対応する接続先番号を含む前記変換テーブルを前記第１の交換機に送信する手段をさらに備え、前記第１の交換機は、受信した前記変換テーブルを記録する手段をさらに備えたことを特徴とする。
【００１６】
請求項４に記載の発明は、第１の無線制御局のカバーエリアに在圏する端末から発呼された呼について、前記呼のダイヤル番号を前記エリアに応じた接続先番号に変換する変換テーブルと、前記呼を制御し、加入者線延長する手段とを有する第１の交換機と、第２の無線制御局のカバーエリアに在圏する端末から発呼された呼について、前記呼のダイヤル番号を前記エリアに応じた接続先番号に変換する変換テーブルと、前記呼を制御し、加入者線延長する手段とを有する第２の交換機とを含む移動体通信システムの番号変換方法において、前記第１の交換機において、前記第１の交換機によって加入者線延長されている第１の呼を有する前記第２の無線制御局のカバーエリアに在圏中の端末から発呼された第２の呼のダイヤル番号を受信するステップと、当該端末の位置を示す位置番号と、前記第２の交換機を識別する識別子とを取得するステップと、前記ダイヤル番号および前記位置番号を、前記識別子によって識別される前記第２の交換機に送信するステップと、前記第２の交換機において、受信した前記ダイヤル番号および前記位置番号に対応する接続先番号を前記変換テーブルから検索し、該接続先番号を前記第１の交換機に送信するステップと、前記第１の交換機において、前記第２の呼のダイヤル番号に対応して、受信した前記接続先番号に接続するステップとを備えたことを特徴とする。
【００１７】
請求項５に記載の発明は、請求項４に記載の移動体通信システムの番号変換方法において、前記第１の交換機において、前記接続先番号を記録するステップをさらに備えることを特徴とする。
【００１８】
請求項６に記載の発明は、請求項４に記載の移動体通信システムの番号変換方法において、前記第２の交換機において、受信した前記ダイヤル番号および前記位置番号に対応する接続先番号を含む前記変換テーブルを前記第１の交換機に送信するステップと、前記第１の交換機において、受信した前記変換テーブルを記録するステップとをさらに備えたことを特徴とする。
【００１９】
以上の構成によれば、それぞれの交換機が自身の配下エリアに対する番号の変換テーブルを保持してさえいれば、すべての交換機がすべての変換テーブルを利用することが可能となり、加入者線延長時の発呼に対しても在圏位置に対応した適切な番号変換を行えるようになる。
【００２０】
【発明の実施の形態】
以下、図面を参照しながら、本発明の実施形態について詳細に説明する。
【００２１】
図３は、本発明が適用される移動体通信システムのシステム構成の一例を示す図であり、本システムの構成のうち本発明に関係する部分のみを概念的に示している。なお、以下の実施例においては、既存のＰＤＣ方式の移動体通信網を用いる場合を一例として説明する。
【００２２】
本システムは、少なくとも、移動機１００と、無線制御局２０１〜２０４と、加入者階梯交換機３０１および３０２と、関門交換機４００と、位置番号に対応するセンタ５０２および５０３とから構成される。
【００２３】
本発明の移動体通信システムにおいて、位置番号を表す識別子の中には、加入者階梯交換機あるいは、無線制御局を一意に識別できる番号が含まれている（図３の▲１▼）。そして、呼制御を行う加入者階梯交換機（加入者階梯交換機１（３０１））は識別子を用いて在圏しているエリアを配下とする加入者階梯交換機（加入者階梯交換機２（３０２））を割り出す（図３の▲２▼）。そして、加入者階梯交換機１（３０１）は、加入者階梯交換機２（３０２）に問い合わせを行い、加入者階梯交換機２（３０２）の変換テーブルを利用して、位置番号３のエリアに対応する着信番号を取得する（図３の▲３▼）。
【００２４】
このような代表局問い合わせ手順の導入により、それぞれの加入者階梯交換機が自身の配下エリアに対する番号の変換テーブルを保持してさえいれば、すべての加入者階梯交換機がすべての変換テーブルを利用することが可能となり、加入者線延長時の発呼に対しても在圏位置に対応した適切な番号変換を行えるようになる。
【００２５】
（移動体通信システムの動作）
次に、このように構成された本実施の形態における移動体通信システムの動作の一例について、以下に図４および図５を参照して詳細に説明する。
【００２６】
図４は、本発明が適用される移動体通信システムにおいて、最新位置情報を無線制御局が管理する場合の通信シーケンスの一例を示す図であり、通信シーケンスのうち本発明に関係する部分のみを概念的に示している。
【００２７】
本図においては、移動機１００の最新の位置情報を無線制御局が管理している場合を一例に説明する。第１呼が通信中に（ステップＳ４０２）、移動機１００から第２呼が発信された場合には（ステップＳ４０４）、加入者階梯交換機１（３０１）から移動機１００に対して応答が発信される（ステップＳ４０６）。
【００２８】
ついで、加入者階梯交換機１（３０１）から無線制御局２（２０２）に対して、位置情報の問合わせがなされ（ステップＳ４０８）、無線制御局２（２０２）において、加入者線延長時に更新された最新の位置情報を参照し（ステップＳ４１０）、応答を送信する（ステップＳ４１２）。
【００２９】
ついで、加入者階梯交換機１（３０１）において、受信した応答中の位置情報から加入者階梯交換機２（３０２）を特定し（ステップＳ４１４）、加入者階梯交換機２（３０２）に対して、代表局問合わせ要求を行う（ステップＳ４１６）。
【００３０】
ついで、加入者階梯交換機２（３０２）は、受信した位置情報およびダイヤル番号から接続先の番号（着信番号）を検索し（ステップＳ４１８）、応答を送信する（ステップＳ４２０）。
【００３１】
ついで、加入者階梯交換機１（３０１）は、受信した接続先番号に基づいて位置番号３に対応するセンタ５０３に対して接続を行う（ステップＳ４２２）。
【００３２】
図５は、本発明が適用される移動体通信システムにおいて、最新位置情報を交換機が管理する場合の通信シーケンスの一例を示す図であり、通信シーケンスのうち本発明に関係する部分のみを概念的に示している。
【００３３】
本図においては、移動機１００の最新の位置情報を交換機（例えば、加入者階梯交換機等）が管理している場合を一例に説明する。第１呼が通信中に（ステップＳ５０２）、移動機１００から第２呼が発信された場合には（ステップＳ５０４）、加入者階梯交換機１（３０１）から移動機１００に対して応答が発信される（ステップＳ５０６）。
【００３４】
ついで、加入者階梯交換機１（３０１）において、位置情報から加入者階梯交換機２（３０２）を特定し（ステップＳ５０８）、加入者階梯交換機２（３０２）に対して、代表局問合わせ要求を行う（ステップＳ５１０）。
【００３５】
ついで、加入者階梯交換機２（３０２）は、受信した位置情報およびダイヤル番号から接続先の番号（着信番号）を検索し（ステップＳ５１２）、応答を送信する（ステップＳ５１４）。
【００３６】
ついで、加入者階梯交換機１（３０１）は、受信した接続先番号に基づいて位置番号３に対応するセンタ５０３に対して接続を行う（ステップＳ５１６）。
（代表局問い合わせ手順）
本発明の代表局問い合わせ手順の実施例について図６を参照して詳細に説明する。
【００３７】
図６は、本発明の移動体通信システムにおける代表局問合わせ手順のイメージの一例を示す図である。
【００３８】
図６の実施例Ａは、交換機１は交換機２の変換テーブルを一時的に参照するだけで、保持しない場合を示す。
【００３９】
図６の実施例Ｂは、交換機１は交換機２の変換テーブル参照し、その結果を一時的に保持する場合を示す。
【００４０】
図６の実施例Ｃは、交換機１は交換機２から変換テーブルごと取得し、このデータベースを一時的に保持する場合を示す。
【００４１】
上述した実施例においては、一時的に保持する場合を一例に説明したが、本発明はこの場合に限定されるものではなく、他の実施の形態においては、一度参照した変換テーブルを永続的に保持してもよい。
【００４２】
（他の実施の形態）
上述した実施の形態においては、交換機として加入者階梯交換機３００を用いる場合を一例に説明したが、本発明はこの場合に限定されるものではなく、本発明の機能を備えた交換機であれば、いずれの交換機においても実施することができることは当業者にとって自明である。
【００４３】
また、上述した実施の形態においては、各実施形態を独立に実現する場合を一例に説明したが、本発明はこの場合に限定されるものではなく、他の実施の形態においては、各実施形態を適宜組み合わせて実施することができることは当業者にとって自明である。
【００４４】
また、実施例に示した変換テーブルの記憶内容は一例にすぎず、該変換テーブルに他の記憶部等を格納してもよい。また、上述したように変換テーブルの一例を示し、各実施形態について説明したが、本発明はかかる実施形態に限定されるものではなく、他のいかなる変換テーブルを用いてもよい。また、上述した実施の形態においては、変換テーブルを単独で構成する場合を一例に説明したが、本発明はこの場合に限定されるものではなく、上述した変換テーブルを、複数のテーブルを必要に応じて適宜組み合わせて構成したいずれの場合においても本発明を実施することができることは当業者にとって自明である。
【００４５】
また、上述した実施の形態においては、携帯電話網は株式会社エヌ・ティ・ティ・ドコモ（会社名）のＰＤＣ方式等を一例に説明したが、本発明はこの場合に限定されるものではなく、他の実施の形態においては、無線方式が異なる携帯電話網／携帯パケット網等にも適用してもよい。
【００４６】
また、上述した実施の形態においては、株式会社エヌ・ティ・ティ・ドコモ（会社名）のサービス、システム方式等を一例に説明したが、本発明はこの場合に限定されるものではなく、他の実施の形態においては、同様の機能を有する他社のサービス、システム方式等に適用してもよい。
【００４７】
さらに、以上述べた形態以外にも種々の変形が可能である。しかしながら、その変形が特許請求の範囲に記載された技術思想に基づくものである限り、その変形は本発明の技術範囲内となる。
【００４８】
【発明の効果】
以上詳細に説明したように、本発明によれば、それぞれの交換機が自身の配下エリアに対する番号変換テーブルを保持してさえいれば、すべての交換機がすべての変換テーブルを利用することが可能となり、加入者線延長時の発呼に対しても在圏位置に対応した適切な番号変換を行えるようになる。
【図面の簡単な説明】
【図１】従来の移動体通信システムのシステム構成の一例を示す図である。
【図２】従来の移動体通信システムにおけるハンドオーバ時の一例を示す図である。
【図３】本発明が適用される移動体通信システムのシステム構成の一例を示す図である。
【図４】本発明が適用される移動体通信システムにおいて、最新位置情報を無線制御局が管理する場合の通信シーケンスの一例を示す図である。
【図５】本発明が適用される移動体通信システムにおいて、最新位置情報を交換機が管理する場合の通信シーケンスの一例を示す図である。
【図６】本発明の移動体通信システムにおける代表局問合わせ手順のイメージの一例を示す図である。
【符号の説明】
１００  移動機
２００  無線制御局
２０１  無線制御局１
２０２  無線制御局２
２０３  無線制御局３
２０４  無線制御局４
３００  加入者階梯交換機
３０１  加入者階梯交換機１
３０２  加入者階梯交換機２
４００  関門交換機
５００  位置番号に対応するセンタ
５０１  位置番号１に対応するセンタ
５０２  位置番号２に対応するセンタ
５０３  位置番号３に対応するセンタ
【図１】
0003748776.tif 000002
【図２】
0003748776.tif 000003
【図３】
0003748776.tif 000004
【図４】
0003748776.tif 000005
【図５】
0003748776.tif 000006
【図６】
0003748776.tif 000007